(57)【要約】  【課題】  ２基の射出装置がホッパー装置を共用することにより同じ履歴の樹脂による成形品の成形を可能とする。同期移動作動する２基の射出装置の位置ずれを許容範囲に維持する。  【解決手段】  射出駆動源及び計量駆動源とノズルタッチ駆動源を備える２基の射出装置を、ノズルタッチ駆動源により同期又は単独移動自在に機台上に並設する。射出装置の一方に立設した第１供給管の上端に、ホッパー装置を連結して射出装置上に固設する。ホッパー装置から他方の射出装置に第２供給管を分岐して着脱自在に連結する。射出装置の同期移動作動時の相互位置を常時検出する手段を両射出装置にわたり設定する。その検出手段により検出された相互位置が、予め設定された位置ずれ範囲を超えたときに、何れか一方の射出装置の速度を制御して許容範囲を維持する。【選択図】  図２
2005288854.tif 000002
【特許請求の範囲】
【請求項１】
射出駆動源及び計量駆動源とノズルタッチ駆動源を備え、該ノズルタッチ駆動源により同期又は単独移動可能に機台上に並設した２基の射出装置と、その射出装置の一方に立設した第１供給管の上端に、ホッパー装置を連結して射出装置上に固設し、そのホッパー装置から他方の射出装置に、第２供給管を分岐して着脱自在に連結した材料供給装置とからなり、
上記射出装置の同期移動作動時の相互位置を常時検出する手段を両射出装置にわたり設定し、その検出手段により検出された相互位置が、予め設定された位置ずれ範囲を超えたときに、何れか一方の射出装置の速度を制御して許容範囲を維持してなることを特徴とする２基の射出装置を並設した射出成形機。
【請求項２】
上記射出装置の同期移動作動と、ホッパー装置を固設した射出装置の単独移動作動の何れかを、上記第２供給管の連結の有無を検出して行うことを特徴とする請求項１記載の２基の射出装置を並設した射出成形機。
【請求項３】
上記第２供給管の検出は、他方の射出装置の供給口に連結した第２供給管の連結部位に向けて、該射出装置に設置した検出器により行うことを特徴とする請求項１記載の２基の射出装置を並設した射出成形機。
【請求項４】
上記材料供給装置は、給送管と吸引管とを接続したホッパー本体の下端に材料チャンバーを連設したホッパー装置と、材料チャンバーの底面に上記第１供給管と並べて分岐したフレキシブルな上記第２供給管と、両供給管より上の材料チャンバーの側面に取付けた材料レベルの検出器とからなることを特徴とする請求項１記載の２基の射出装置を並設した射出成形機。
【発明の詳細な説明】
【技術分野】
【０００１】
この発明は、機台上に並設した２基の射出装置を同期又は単独移動作動して成形を行う射出成形機に関するものである。
【背景技術】
【０００２】
従来から多層又は二色成形等を目的として、２基の射出装置を機台上に並設し、その射出装置を同時又は個々に作動して成形が行われている。
【特許文献１】特開平２００１−８８１６４号公報。
【発明の開示】
【発明が解決しようとする課題】
【０００３】
通常構造の射出装置では、射出成形ごとに成形材料のホッパー装置を備え、そのホッパー装置ごとに配管した材料給送管により、成形材料を材料タンクやコンテナー等から個々に給送して成形を行っている。多層又は二色成形等のように成形に使用される樹脂が異なる場合には、２基の射出装置ごとに材料給送を行っても特に問題はないが、製品が同一形状の複数の成形品を張り合わせて完成される精密成形品（例えば、ＤＶＤ）では、同一樹脂であっても同じ履歴（乾燥）のものを同時に供給して成形を行うことが要求される。
【０００４】
この要求は２基の射出装置がホッパー装置を共用して同時に成形材料の給送を受けることによって解決される。しかし、移動する２基の射出成形機に１基のホッパー装置が接続されることから、常に２基の射出装置は同時に同速で移動する必要がある。これは制御的には困難さはないが、繰返し前進後退を行っていると、起動或は停止タイミングの僅かなずれや移動抵抗の差などから位置ずれが生ずるようになる。したがって、射出装置相互の位置ずれを許容範囲に制御しなければ、ホッパー装置を共用して同じ履歴の樹脂による成形品を２基の射出装置により同時成形することは難しい。
【０００５】
この発明は、上記従来の課題を解決するために考えられたものであって、その目的は、ホッパー装置を２基の射出装置が共用することにより、同じ履歴の樹脂による同一射出容量又は異なった射出容量の成形品の成形を可能とし、また同期移動作動する２基の射出装置の位置ずれを許容範囲に維持することができ、さらにはホッパー装置を固設した射出装置の単独作動もも可能とする２基の射出装置を並設した射出成形機を提供することにある。
【課題を解決するための手段】
【０００６】
上記目的によるこの発明は、射出駆動源及び計量駆動源とノズルタッチ駆動源を備え、該ノズルタッチ駆動源により同期又は単独移動自在に機台上に並設した２基の射出装置と、その射出装置の一方に立設した第１供給管の上端に、ホッパー装置を連結して射出装置上に固設し、そのホッパー装置から他方の射出装置に、第２供給管を分岐して着脱自在に連結した材料供給装置とからなり、上記射出装置の同期移動作動時の相互位置を常時検出する手段を両射出装置にわたり設定し、その検出手段により検出された相互位置が、予め設定された位置ずれ範囲を超えたときに、何れか一方の射出装置の速度を制御して許容範囲を維持する、というものである。
【０００７】
またこの発明は、上記射出装置の同期移動作動と、ホッパー装置を固設した射出装置の単独移動作動の何れかを、上記第２供給管の連結の有無を検出して行うというものであり、上記第２供給管の検出は、他方の射出装置の供給口に連結した第２供給管の連結部位に向けて該射出装置に設置した検出器により行う、というものである。
【０００８】
この発明の材料供給装置は、給送管と吸引管とを接続したホッパー本体の下端に材料チャンバーを連設したホッパー装置と、材料チャンバーの底面に上記第１供給管と並べて分岐したフレキシブルな上記第２供給管と、両供給管より上の材料チャンバーの側面に取付けた材料レベルの検出器とからなる、というものである。
【発明の効果】
【０００９】
上記構成では、ホッパー装置を共用して２基の射出装置に同時に材料供給が行えるので、常に２基の射出装置により履歴が同じ樹脂による成形品を射出成形することができ、材料供給装置としてはホッパー装置から他方の射出装置に第２供給管を分岐するだけで済むので、個々にホッパー装置を備えた通常の場合よりも給送管の数が減り、コスト節減となる。また異なる射出容量の成形を同時に行う場合でも、ホッパー装置においては射出容量が同一の場合と変わるところがないので材料供給に特別な制御を行う必要がない。
【００１０】
また同期移動作動時の２基の射出装置に位置ずれが生じても、両射出装置にわたり設定した検出手段により許容範囲に維持されるので、材料供給装置が両射出装置に股がって設けられていても、位置ずれによる負担は掛からず、許容範囲の位置ずれもフレキシブルな第２供給管により吸収されるので、ホッパー装置の共用により同期移動作動に不具合が生ずるようなこともない。また許容範囲を超える大きな位置ずれの防止によって、２基の射出装置のノズルタッチ及び射出を殆ど同時に行うことができる。
【発明を実施するための最良の形態】
【００１１】
図中１，１′は、機台２の上に個々にノズルタッチ自在に並設した２基の同一構造の射出装置で、射出駆動源３及び計量駆動源４とノズルタッチ駆動源５に電動サーボモータを採用した通常構造の電気式のものからなる。
【００１２】
この射出装置１，１′は、前部支持体６と後部支持体７との間に、射出部材８を両支持体にわたり設けたタイバー９，９に挿通して進退自在に備え、前部支持体６の前面に成形材料の供給口１０を上面に穿設した供給ブロック１１と共に、射出スクリュ内装の加熱筒１２を取付けた装置本体と、その装置本体の外側と型締装置の固定盤１３とにわたり設けたノズルタッチ装置１４とからなり、上記射出部材８の上に上記計量駆動源３を、後部支持体５の上に上記射出駆動源４を、前部支持体４の側部にノズルタッチ装置１４の上記駆動源５をそれぞれ設置して、互いに干渉し合うことなく作動するようにしてある。
【００１３】
また上記前部支持体６と後部支持体７は座板１５に縦に固定されており、その座板１５の下面両側に取付けた前後方向のガイド部材１６を、機台上面に載置固定した基盤１７の上面に二条ずつ敷設した軌条１８に摺動自在に嵌合して、２基の射出装置１，１′が上記ノズルタッチ装置１４により、上記固定盤１３に対して個々に又は同時に進退自在するように機台２の上面に並設してある。
【００１４】
上記ノズルタッチ装置１４は、電動サーボモータにより直接又は減速機を介して回転するボールねじ軸１４ａと、そのボールねじ軸１４ａと螺合したボールナット１４ｂと、そのボールナット１４ｂを内部に固着した固定盤１３側の連結筒１４ｃとによる通常構造のものからなる。このノズルタッチ装置１４の一対は、両射出装置１，１′のノズルと同じ高さに設けてあり、これによりノズルタッチ力の反力が固定盤１３に均等に作用するようにしてある。
【００１５】
２０は材料供給装置で、成形材料の給送管２２と揮発成分の吸引管２３とを、内部のフィルターを境に上下に接続したホッパー本体２１の下端に、材料チャンバー２４を連設したホッパー装置と、その材料チャンバー２４の側部に設けた材料レベルａの検出器２５と、自立が可能な金属管の第１供給管２６及びフレキシブル管の第２供給管２７とからなる。
【００１６】
上記第１供給管２６は、射出装置１′の供給口１０に立設されており、その上端に材料チャンバー２４の底面を連結して、ホッパー装置を射出装置１′上に固設している。また第２供給管２７は他方の射出装置１の供給口１０に下端を接続して、上端を第１供給管２６と並べて材料チャンバー２４の底面に連結され、これによりホッパー装置から他方の射出装置１に分岐されて、第１供給管２６と同時に成形材料の供給を材料チャンバー２４から受けることができるようにしてある。
【００１７】
上記検出器２５はその第２供給管２７の分岐部位の両供給管より上の材料チャンバー５４の側面に取付けてある。また第２供給管２７の連結口にはシャッター２８が設けてあり、第２供給管２７を接続した射出装置１の供給ブロック１１上には、第２供給管２６の接続部位の有無を検出する近接スイッチなどによる検出器２９が設置してある。
【００１８】
この検出器２９は第２供給管２７を検出して、２基の射出装置１，１′が同期作動状態にあることを確認するものである。したがって、第２供給管２７の取り外しにより検出ができないときには、ホッパー装置を固設した射出装置１′の単独作動を可能とする。単独作動は上記シャッター２８により連結口を閉鎖して第２供給管への材料供給を停止し、第２供給管２７を取り外して行われることになる。
【００１９】
上記材料供給装置２０では、成形材料が材料タンクやコンテナー等に接続した給送管２２からホッパー本体２１に送り込まれる。この材料送込みは検出器２５が材料レベルａを検出して自動的に開始され、予め設定された分量がホッパー本体２１に送り込まれて蓄えられる。成形材料は材料チャンバー２４から両供給管２６，２７に分かれて２基の射出装置１，１′に同時に供給される。またホッパー装置内は吸引管２３により常に減圧吸引されており、これにより成形材料を乾燥状態に維持している。したがって、同時成形された複数の成形品は同一履歴の樹脂によるものとなり、また成形は同一射出容量の成形品に限らず、異なった射出容量の成形品の成形も可能となる。
【００２０】
３０は近接スイッチなどによる位置ずれ検出器、３１は横幅を位置ずれの許容範囲とする基準接近体で、両射出装置１，１′の前部支持体６の上面の同位置に対設される。図では検出器３０を他方の射出装置１に、基準接近体３１をホッパー装置を固設した射出装置１′に取付けてある。
【００２１】
上記位置ずれ検出手段を備えた２基の射出装置１，１′の同期移動作動は、両方のノズルタッチ装置４を同期作動して、同時に同速で進退移動するように制御されているが、起動及び停止時の僅かなずれは避け難く、また移動抵抗の差などからも両射出装置に移動差が生ずる。この位置ずれが検出器３０の検出ヘッドが基準接近体３１から外れない範囲であれば、第２供給管２７が受ける負荷は、フレキシブルであることによって吸収され、またノズルタッチ後の一対の金型３２への射出開始時間も僅かな遅延ですむので、その程度の位置ずれは予め設定された許容範囲として両射出装置１，１′の同期移動が継続される。
【００２２】
この位置ずれが許容範囲を超えるようになると、第２供給管２７が負担を受けるようになって変形し、成形材料の定量供給がスムーズに行い難くなる。また射出開始時間の大きな遅延ともなって型締力にも影響を及ぼすことになる。しかし、両射出装置１，１′の相互位置を常時検出する検出器３０の検出ヘッドが、基準接近体３１から外れると、検出器３０がそれを検出して先行する側の射出装置の図示しない制御装置に、減速又は一時停止等の信号を発信するか、または遅れている側に加速の信号を発信して、位置ずれを許容範囲まで修正し、その状態を維持して同期移動を継続する。これにより許容範囲を超える位置ずれが防止されて、２基の射出装置１，１′による同時成形が支障なく繰返して行えるようになる。
【図面の簡単な説明】
【００２３】
【図１】この発明の２基の射出装置を並設した射出成形機の平面図である。
【図２】材料供給装置を縦断して示す２基の射出装置の正面図である。
【図３】同じく一方の射出装置の単独作動時の正面図である。
【符号の説明】
【００２４】
１      射出装置
２      機台
６      前部支持体
１０      供給口
１１      供給ブロック
２０      材料供給装置
２１      ホッパー本体
２２      給送管
２３      吸引管
２４      材料チャンバー
２５      材料レベルの検出器
２６      第１供給管
２７      第２供給管
２８      ストッパー
２９      第２供給管の検出器
３０      位置ずれ検出器
３１      基準接近体
【図１】
2005288854.tif 000003
【図２】
2005288854.tif 000004
【図３】
2005288854.tif 000005